(57)【要約】【課題】レーダアンテナにおいて、利得をより高くし、かつ垂直面サイドローブレベルをより低くする。【解決手段】フレア２の基部に放射導波管３が設けられ、フレア２の上下中央位置で電磁波放射方向に所定長の金属板４が設けられ、さらに、上下方向の長さおよび前後方向の長さが所定長に設定された電波成形部５１が、フレア２の前方中心に設けられ、フレア２および電波成形部５１が誘電性のレドーム６によって覆われたレーダアンテナにおいて、高利得が得られるだけ電波成形部５１とレドーム６とをフレア２の前方先に配設し、電波成形部５１とフレア２との接続部位周辺に、電磁波を遮断する金属箔テープ７を配設した。【選択図】  図１
2014045366.tif 000002
【特許請求の範囲】
【請求項１】
ホーン状のフレアの基部に放射導波管が設けられ、前記フレアの上下中央位置で電磁波放射方向に所定長の金属板が設けられ、さらに、上下方向の長さおよび前後方向の長さが所定長に設定された電波成形部材が、前記フレアの前方中心に設けられ、前記フレアおよび電波成形部材が誘電性のレドームによって覆われたレーダアンテナにおいて、
高利得が得られるだけ前記電波成形部材とレドームとを前記フレアの前方先に配設し、
前記電波成形部材と前記フレアとの接続部位周辺に、電磁波を遮断する遮断部材を配設した、
ことを特徴とするレーダアンテナ。
【発明の詳細な説明】
【技術分野】
【０００１】
この発明は、主としてレーダアンテナとして用いられるアンテナ装置に関する。
【背景技術】
【０００２】
レーダアンテナでは、利得の向上とサイドローブレベルの低減とが求められており、垂直面ビーム幅を狭ビーム化することで、利得の向上を図ったレーダアンテナ（アンテナ装置）が知られている（例えば、特許文献１等参照。）。
【０００３】
このレーダアンテナは、ホーン（フレア）の基部にスロット導波管（放射導波管）が設けられ、上下中央位置で電磁波放射方向に所定長の金属板が設けられている。また、断面四辺形状の中空で、上下方向の寸法が放射される電磁波の１波長に相当し、前後方向の寸法が放射される電磁波の半波長に相当する主誘電体部材（電波成形板）が、ホーンの前方中心位置に設けられている。さらに、主誘電体部材をホーンの上端部に支持する上側支持誘電体部材と、主誘電体部材をホーンの下端部に支持する下側支持誘電体部材と、を備える。これにより、指向性を先鋭にして利得を向上させるとともに、小型化、軽量化を可能にするものである。
【先行技術文献】
【特許文献】
【０００４】
【特許文献１】特許第４５０８９４１号公報
【発明の概要】
【発明が解決しようとする課題】
【０００５】
このように、特許文献１のレーダアンテナによれば、従来に比べて高い利得を得ることができるが、レーダアンテナの機能・役割として、さらに利得が高く垂直面サイドローブレベルが低いことが好ましい。
【０００６】
そこでこの発明は、利得をより高くし、かつ垂直面サイドローブレベルをより低くすることが可能なレーダアンテナを提供することを目的とする。
【課題を解決するための手段】
【０００７】
上記目的を達成するために請求項１に記載の発明は、ホーン状のフレアの基部に放射導波管が設けられ、前記フレアの上下中央位置で電磁波放射方向に所定長の金属板が設けられ、さらに、上下方向の長さおよび前後方向の長さが所定長に設定された電波成形部材が、前記フレアの前方中心に設けられ、前記フレアおよび電波成形部材が誘電性のレドームによって覆われたレーダアンテナにおいて、高利得が得られるだけ前記電波成形部材とレドームとを前記フレアの前方先に配設し、前記電波成形部材と前記フレアとの接続部位周辺に、電磁波を遮断する遮断部材を配設した、ことを特徴とする。
【０００８】
本願発明者は、電磁界解析による計算および実験によって、従来（特許文献１のレーダアンテナ）に比べて電波成形部材とレドームとをフレアのより前方先に配設することで、従来よりも高い利得が得られ、かつサイドローブレベルをより低減できることを確認した。一方、電波成形部材とレドームとをフレアからより遠くに配設すると、レーダアンテナとしてのバックローブレベルが上昇することが判明した。このようにバックローブレベルが上昇すると、レーダ装置として偽像の発生が懸念される。このため、本願発明者は、電磁界解析により本現象が誘電体の導波効果によるものと断定し、これまでの経験より導波効果を遮断するため、電波成形部材とフレアとの接続部位周辺に、電磁波を遮断する遮断部材を配設することで、バックローブレベルを低減できることを確認した。
【発明の効果】
【０００９】
請求項１に記載の発明によれば、上記のように、より高い利得が得られるとともに、垂直面サイドローブレベルをより低減することができ、しかも、電波成形部材とレドームとをフレアのより前方先に配設することによるバックローブレベルの上昇を、抑制・低減することができる。
【図面の簡単な説明】
【００１０】
【図１】この発明の実施の形態に係るレーダアンテナを示す側面図である。
【図２】図１のレーダアンテナと従来のレーダアンテナとの比較を示す図である。
【図３】図１のレーダアンテナと従来のレーダアンテナとの垂直面指向性特性を示す図である。
【図４】従来のレーダアンテナの電界強度分布（ａ）と、図１のレーダアンテナの電界強度分布（ｂ）とを示す図である。
【図５】図１のレーダアンテナにおいて、金属箔テープを配設しない場合の水平面指向性特性と、金属箔テープを配設した場合の水平面指向性特性とを示す図である。
【図６】図１のレーダアンテナにおける遮断部材の変形例を示す図である。
【発明を実施するための形態】
【００１１】
以下、この発明を図示の実施の形態に基づいて説明する。
【００１２】
図１は、この発明の実施の形態に係るレーダアンテナ１を示す側面図である。このレーダアンテナ１は、後述する電波成形部（電波成形部材）５１の配設位置と金属箔テープ７（遮断部材）とを除いて、従来（特許第４５０８９４１号公報記載）のレーダアンテナと同等の構成、機能となっているため、従来と同じ点についての詳細な説明は省略するが、概略次のような構成等となっている。
【００１３】
すなわち、ホーン状で導電性のフレア２の基部に放射導波管３が配設され、電磁波放射方向に所定長の金属板４が、フレア２の上下方向の中央位置に配設されている。また、フレア２の前面開口を塞ぐように、電波成形板５が配設されている。
【００１４】
この電波成形板５は、全体が誘電体で、電波成形部（電波成形部材）５１と上側支持部５２と下側支持部５３とを有している。電波成形部５１は、断面がコ字状（略矩形）で、上下方向の長さＤ１および前後方向の長さＤ２が所定長に設定されている。具体的には、この実施の形態では、上下方向の長さＤ１が放射される電磁波の１波長とほぼ同寸法に設定され、前後方向の長さＤ２が放射される電磁波の半波長とほぼ同寸法に設定されている。ここで、特許第４５０８９４１号公報に記載のように、電波成形部５１を中空の断面四辺形状・四角形のように形成・構成してもよい。
【００１５】
上側支持部５２は、電波成形部５１の上端縁から斜め上方に延び、電波成形部５１をフレア２の上端部に支持・接続する誘電体であり、水平に延びてフレア２の開口端縁２ａに重なる水平部５２ａを有している。同様に下側支持部５３は、電波成形部５１の下端縁から斜め下方に延び、電波成形部５１をフレア２の下端部に支持・接続する誘電体であり、水平に延びてフレア２の開口端縁２ａに重なる水平部５３ａを有している。このような上側支持部５２と下側支持部５３とによって、電波成形部５１が、フレア２の前方で上下方向の中心に位置するように配設されている。
【００１６】
このようなフレア２および電波成形板５が、誘電性のレドーム６によって覆われている。なお、便宜上、断面がＵ字状で電波成形板５側を覆う部分を前方レドーム６１とし、断面がＵ字状でフレア２側を覆う部分を後方レドーム６２して、以下に説明する。
【００１７】
そして、このような各構成要素２〜６が、水平方向（図面に対して垂直方向）に長く延びているものである。また、フレア２、放射導波管３および電波成形板５は、金属製の支持板６３、６４によってレドーム６内に支持、配設され、下部支持板６３は、レドーム６の底面上を沿うように配設されている。
【００１８】
このような構成において、このレーダアンテナ１は、できるだけ高利得が得られるように、電波成形部５１と前方レドーム６１とがフレア２のより前方先に配設されている。すなわち、従来においては、フレア２の開口面２ｂから電波成形部５１までの距離は、電磁波の反射を抑制するために近づき過ぎないように、例えば、電磁波の半波長程度、あるいはそれより少し長い程度に設定されていた。これに対して、このレーダアンテナ１では、最も高い利得が得られるまで、フレア２の開口面２ｂから電波成形部５１までの距離ができるだけ延ばされ、これに伴ってレドーム６（前方レドーム６１）が前方先に延ばされている。
【００１９】
具体的には、上側支持部５２および下側支持部５３の水平部５２ａ、５３ａが延伸され、かつ、レドーム６の上面および底面水平部が延伸されている。これにより、図２に示すように、従来のレーダアンテナ１００に比べて、電波成形部５１が延伸距離Ｅだけさらにフレア２の開口面２ｂから離れて配設され、レドーム６が延伸距離Ｅだけ長くなっている。
【００２０】
さらに、後述するような理由から、電波成形板５とフレア２との接続部位周辺に、電磁波を遮断する金属箔テープ７が、レドーム６の長手方向に延びるように配設されている。すなわち、この実施の形態では、図１に示すように、電波成形板５の上側支持部５２の水平部５２ａとフレア２の開口端縁２ａとが重なる部位の周辺に対向する、レドーム６の内面に金属箔テープ７が貼られている。ここで、レドーム６の底面上には、上記のように金属製の下部支持板６３が配設されているため、電波成形板５の下側支持部５３側には、金属箔テープ７が貼られていない。つまり、下部支持板６３が、後述するような金属箔テープ７の役割、作用を果たしている。
【００２１】
次に、このような構成のレーダアンテナ１の作用などについて説明する。
【００２２】
本願発明者は、電磁界解析による計算および実験によって、電波成形部５１および前方レドーム６１をフレア２の開口面２ｂからより離すことで、従来よりも高い利得が得られ、かつサイドローブレベルをより低減できることを確認し、この考察結果に基づいて、レーダアンテナ１を上記のような構成とした。この結果、このレーダアンテナ１の利得は、図３の第１の垂直面指向性特性Ｌ１に示すように、従来のレーダアンテナの垂直面指向性を示す第２の垂直面指向性特性Ｌ２に比べて、垂直面ビーム幅が狭ビーム化され（０°周辺における幅が狭く）、さらに、サイドローブレベル（−６０°、＋６０°周辺におけるレベル）が低減していることが確認される。また、この結果、利得も向上することが確認された。
【００２３】
ところで、電波成形部５１および前方レドーム６１をフレア２の開口面２ｂからより離すことで、より高い利得が得られ、かつサイドローブレベルをより低減できるのは、エネルギーがより正面方向に導波されるためと考えられる。すなわち、図４の電界強度分布に示すように、従来のレーダアンテナ（ａ）に比べてこのレーダアンテナ１（ｂ）では、強い放射電界がより正面側に集中し、垂直面ビーム幅が狭ビーム化されていることが確認される。さらに、従来のレーダアンテナ（ａ）に比べてこのレーダアンテナ１（ｂ）では、上下方向（図中エリアＡ１、Ａ２）における電界強度が弱く、サイドローブレベルが低減していることが確認される。ここで、図中、黒塗りが濃い部分は、放射電界が強いことを示し、黒塗りが薄い部分は、放射電界が弱いことを示している。
【００２４】
一方、電波成形部５１をフレア２の開口面２ｂからより離すと、バックローブレベルが上昇することが判明した。例えば、図５の第３の水平面指向性特性Ｌ３に示すように、−１７０°付近でバックローブレベルが上昇することが確認された。そして、このようにバックローブレベルが上昇すると、レーダ装置として偽像の発生が懸念される。
【００２５】
このため、本願発明者は、電磁界解析によって、上側支持部５２および下側支持部５３の水平部５２ａ、５３ａを延伸したことで、フレア２の開口端縁２ａと重なっていない水平部５２ａ、５３ａの部位が発生し、この部位から電磁波が漏れることで、バックローブレベルが上昇する、ことが原因であるという考えに至った。すなわち、支持部５２、５３およびレドーム６が導波路となって、アンテナの背面に電磁波が誘導されやすくなることが、原因であるという考えに至った。
【００２６】
そこで、電波成形板５とフレア２との接続部位周辺に、電磁波の誘導を遮断する部材を配設することで、バックローブレベルを低減することができるという考えに至り、上記のように金属箔テープ７を配設したものである。この結果、図５の第４の水平面指向性特性Ｌ４に示すように、−１７０°付近におけるバックローブレベルが、約５ｄＢ低減していることが確認された。
【００２７】
以上のように、このレーダアンテナ１によれば、より高い利得が得られるとともに、垂直面サイドローブレベルをより低減することができる。しかも、電波成形部５１および前方レドーム６１をフレア２の開口面２ｂからより離すことによるバックローブレベルの上昇を、抑制・低減することができる。
【００２８】
以上、この発明の実施の形態について説明したが、具体的な構成は、上記の実施の形態に限られるものではなく、この発明の要旨を逸脱しない範囲の設計の変更等があっても、この発明に含まれる。例えば、上記の実施の形態では、金属箔テープ７をレドーム６の内面に貼っているが、レドーム６の外面に貼ってもよく、また、レドーム６の底面にも金属箔テープ７を貼ってもよい。さらに、フレア２の開口端縁２ａの周辺のみならず、レドーム６後方（後方レドーム６２）に沿って延びるように、金属箔テープ７を貼ってもよく、これにより、バックローブレベルの上昇をより抑制・低減することが可能となる。
【００２９】
また、遮断部材として金属箔テープ７に限らず、金属板を配設したり、金属製の塗料を塗布したりしてもよく、遮断部材をレドーム６内に埋め込むようにしてもよい。さらに、図６に示すような導電性シールド８を、遮断部材としてレドーム６に押し付けるように配設してもよい。すなわち、この導電性シールド８は、スポンジ製で断面が四角形の棒体の周囲に、導電性の繊維が巻かれたシールド・パッキンであり、このような導電性シールド８を上側支持部５２とレドーム６とで挟むように配設する。
【符号の説明】
【００３０】
１        レーダアンテナ
２        フレア
２ａ      開口端縁
２ｂ      開口面
３        放射導波管
４        金属板
５        電波成形板
５１      電波成形部（電波成形部材）
５２      上側支持部
５３      下側支持部
６        レドーム
６１      前方レドーム
６２      後方レドーム
６３      下部支持板
６４      後部支持板
７        金属箔テープ（遮断部材）
８        導電性シールド（遮断部材）
【図１】
2014045366.tif 000003
【図２】
2014045366.tif 000004
【図３】
2014045366.tif 000005
【図４】
2014045366.tif 000006
【図５】
2014045366.tif 000007
【図６】
2014045366.tif 000008